(57)【特許請求の範囲】
【請求項１】
印鑑の印影画像を表す登録印影画像情報を含む、各種の情報を格納するデータベースサーバと通信可能に接続されている複数の印鑑照会機を有する印鑑照会システムにおいて、
前記印鑑照会機は、
前記データベースサーバから取得された前記登録印影画像情報によって表される前記印影画像を表示する表示部と、
前記印影画像の表示位置を決定する表示位置決定部とを備えており、
前記表示位置決定部は、
当該印鑑照会機を使用中の操作者を使用操作者とし、照合の対象となる印影が押印された帳票を照合対象帳票とし、
前記使用操作者が当該印鑑照会機の操作者として登録された登録操作者と異なる場合に、当該印鑑照会機に対する横方向の前記使用操作者の座席位置を表す入力座席位置情報に基づいて、前記印影画像の横方向の表示位置を決定する
ことを特徴とする印鑑照会システム。
【請求項２】
請求項１に記載の印鑑照会システムにおいて、
前記表示位置決定部は、さらに、前記照合対象帳票内での押印欄の高さ方向の位置に基づいて、前記印影画像の高さ方向の表示位置を決定する
ことを特徴とする印鑑照会システム。
【請求項３】
請求項１又は請求項２に記載の印鑑照会システムにおいて、
前記データベースサーバは、帳票内での押印欄の横方向及び高さ方向の位置に対応する前記印影画像の表示位置を規定する情報が、登録印影表示位置情報として、前記印鑑照会機を操作する操作者に予め割り振られた操作者識別情報毎に、前記印鑑照会機に予め割り振られた照会機識別情報と、前記印鑑照会機に対する横方向の前記操作者の座席位置を表す座席位置情報とに対応付けられて登録される第１テーブルデータを格納しており、
前記印鑑照会機の前記表示位置決定部は、
当該印鑑照会機に対する横方向の前記使用操作者の座席位置に合致する位置を表す前記座席位置情報に対応付けられた前記登録印影表示位置情報であって、かつ、前記照合対象帳票内での前記押印欄の横方向及び高さ方向の位置に合致する前記登録印影表示位置情報を、該当表示位置情報とし、
前記該当表示位置情報が前記第１テーブルデータに登録されていると見なされる場合に、前記印影画像の表示位置を前記該当表示位置情報の表す位置に決定し、
一方、当該該当表示位置情報が前記第１テーブルデータに登録されていないと見なされる場合に、前記入力座席位置情報に基づいて、前記印影画像の横方向の表示位置を決定するとともに、前記照合対象帳票内での押印欄の高さ方向の位置に基づいて、前記印影画像の高さ方向の表示位置を決定する
ことを特徴とする印鑑照会システム。
【請求項４】
請求項３に記載の印鑑照会システムにおいて、
前記表示位置決定部は、
前記使用操作者が使用している前記印鑑照会機を使用照会機とし、
前記使用照会機の前記照会機識別情報が前記第１テーブルデータに登録された前記照会機識別情報と同じ場合で、かつ、前記照合対象帳票内での前記押印欄の横方向及び高さ方向の位置に合致する前記登録印影表示位置情報が前記第１テーブルデータに登録されている場合に、
前記該当表示位置情報が前記第１テーブルデータに登録されていると見なす
ことを特徴とする印鑑照会システム。
【請求項５】
請求項４に記載の印鑑照会システムにおいて、
前記表示位置決定部は、
前記使用照会機の前記照会機識別情報が前記第１テーブルデータに登録された前記照会機識別情報と異なる場合であっても、前記入力座席位置情報が入力されている場合には、
前記入力座席位置情報が前記第１テーブルデータに登録された前記座席位置情報と同じで、かつ、前記照合対象帳票内での前記押印欄の横方向及び高さ方向の位置に合致する前記登録印影表示位置情報が前記第１テーブルデータに登録されているときに、
前記該当表示位置情報が前記第１テーブルデータに登録されていると見なす
ことを特徴とする印鑑照会システム。
【請求項６】
請求項４に記載の印鑑照会システムにおいて、
前記表示位置決定部は、
前記使用照会機の前記照会機識別情報が前記第１テーブルデータに登録された前記照会機識別情報と同じ場合で、かつ、前記座席位置が変更されていない場合には、
前記照合対象帳票内での前記押印欄の横方向及び高さ方向の位置に合致する前記登録印影表示位置情報が前記第１テーブルデータに登録されているときに、
前記該当表示位置情報が前記第１テーブルデータに登録されていると見なす
ことを特徴とする印鑑照会システム。
【請求項７】
請求項６に記載の印鑑照会システムにおいて、
前記表示位置決定部は、
前記使用照会機の前記照会機識別情報が前記第１テーブルデータに登録された前記照会機識別情報と同じ場合で、かつ、前記座席位置が変更されている場合であっても、前記入力座席位置情報が入力されている場合には、
前記入力座席位置情報が前記第１テーブルデータに登録された前記座席位置情報と同じで、かつ、前記照合対象帳票内での前記押印欄の横方向及び高さ方向の位置に合致する前記登録印影表示位置情報が前記第１テーブルデータに登録されているときに、
前記該当表示位置情報が前記第１テーブルデータに登録されていると見なす
ことを特徴とする印鑑照会システム。
【請求項８】
請求項１乃至請求項７のいずれか一項に記載の印鑑照会システムにおいて、
前記印鑑照会機は、
さらに、操作者によって各種の情報が入力される入力部を備えており、
前記操作者によって、前記入力部から、前記入力座席位置情報及び前記照合対象帳票内での押印欄の高さ方向の位置を表す入力押印欄位置情報が入力された場合に、
前記表示位置決定部が、前記入力座席位置情報に基づいて、前記印影画像の横方向の表示位置を決定するとともに、前記入力押印欄位置情報に基づいて、前記印影画像の高さ方向の表示位置を決定する
ことを特徴とする印鑑照会システム。
【請求項９】
請求項１乃至請求項８のいずれか一項に記載の印鑑照会システムにおいて、
前記データベースサーバは、前記照合対象帳票に予め割り振られた帳票識別情報と前記帳票内での押印欄の横方向及び高さ方向の位置を表す登録押印欄位置情報とが対応付けて登録される第２テーブルデータを格納しており、
前記印鑑照会機は、
さらに、操作者によって各種の情報が入力される入力部と、
前記データベースサーバから、前記登録印影画像情報を含む、各種の情報を取得する情報取得部とを備えており、
前記操作者によって、前記入力部から、前記入力座席位置情報及び前記帳票識別情報が入力された場合に、
前記情報取得部が、前記データベースサーバから、前記帳票識別情報に対応付けられて前記第２テーブルデータに登録された前記登録押印欄位置情報を取得し、
前記表示位置決定部が、前記入力座席位置情報に基づいて、前記印影画像の横方向の表示位置を決定するとともに、前記登録押印欄位置情報に基づいて、前記印影画像の高さ方向の表示位置を決定する
ことを特徴とする印鑑照会システム。
【請求項１０】
請求項１に記載の印鑑照会システムにおいて、
前記データベースサーバは、帳票内での押印欄の横方向及び高さ方向の位置に対応する前記印影画像の表示位置を規定する情報が、登録印影表示位置情報として、前記印鑑照会機を操作する操作者に予め割り振られた操作者識別情報毎に、前記印鑑照会機に対する横方向の前記操作者の座席位置の想定される複数パタンに対応付けられて登録される第１テーブルデータを格納しており、
前記印鑑照会機は、
さらに、前記入力座席位置情報が予め格納される記憶部を有しており、
前記表示位置決定部が、前記データベースサーバから、前記第１テーブルに登録された、前記使用操作者の前記操作者識別情報と、前記記憶部に格納された前記入力座席位置情報に合致するパタンの前記登録印影表示位置情報を、該当表示位置情報として取得し、前記印影画像の表示位置を前記該当表示位置情報の表す位置に決定する
ことを特徴とする印鑑照会システム。
【請求項１１】
印鑑の印影画像を表す登録印影画像情報を含む、各種の情報を格納するデータベースサーバと通信可能に接続されている印鑑照会機において、
前記データベースサーバから取得された前記登録印影画像情報によって表される前記印影画像を表示する表示部と、
前記印影画像の表示位置を決定する表示位置決定部とを備えており、
前記表示位置決定部は、
当該印鑑照会機を使用中の操作者を使用操作者とし、照合の対象となる印影が押印された帳票を照合対象帳票とし、
前記使用操作者が当該印鑑照会機の操作者として登録された登録操作者と異なる場合に、当該印鑑照会機に対する横方向の前記使用操作者の座席位置を表す入力座席位置情報に基づいて、前記印影画像の横方向の表示位置を決定する
ことを特徴とする印鑑照会機。
【請求項１２】
請求項１１に記載の印鑑照会機において、
前記表示位置決定部は、さらに、前記照合対象帳票内での押印欄の高さ方向の位置に基づいて、前記印影画像の高さ方向の表示位置を決定する
ことを特徴とする印鑑照会機。
【請求項１３】
請求項１１又は請求項１２に記載の印鑑照会機において、
前記データベースサーバは、帳票内での押印欄の横方向及び高さ方向の位置に対応する前記印影画像の表示位置を規定する情報が、登録印影表示位置情報として、前記印鑑照会機を操作する操作者に予め割り振られた操作者識別情報毎に、前記印鑑照会機に予め割り振られた照会機識別情報と、前記印鑑照会機に対する横方向の前記操作者の座席位置を表す座席位置情報とに対応付けられて登録される第１テーブルデータを格納しており、
前記表示位置決定部は、
当該印鑑照会機に対する横方向の前記使用操作者の座席位置に合致する位置を表す前記座席位置情報に対応付けられた前記登録印影表示位置情報であって、かつ、前記照合対象帳票内での前記押印欄の横方向及び高さ方向の位置に合致する前記登録印影表示位置情報を、該当表示位置情報とし、
前記該当表示位置情報が前記第１テーブルデータに登録されていると見なされる場合に、前記印影画像の表示位置を前記該当表示位置情報の表す位置に決定し、
一方、当該該当表示位置情報が前記第１テーブルデータに登録されていないと見なされる場合に、前記入力座席位置情報に基づいて、前記印影画像の横方向の表示位置を決定するとともに、前記照合対象帳票内での押印欄の高さ方向の位置に基づいて、前記印影画像の高さ方向の表示位置を決定する
ことを特徴とする印鑑照会機。
【請求項１４】
請求項１３に記載の印鑑照会機において、
前記表示位置決定部は、
前記使用操作者が使用している前記印鑑照会機を使用照会機とし、
前記使用照会機の前記照会機識別情報が前記第１テーブルデータに登録された前記照会機識別情報と同じ場合で、かつ、前記照合対象帳票内での前記押印欄の横方向及び高さ方向の位置に合致する前記登録印影表示位置情報が前記第１テーブルデータに登録されている場合に、
前記該当表示位置情報が前記第１テーブルデータに登録されていると見なす
ことを特徴とする印鑑照会機。
【請求項１５】
請求項１４に記載の印鑑照会機において、
前記表示位置決定部は、
前記使用照会機の前記照会機識別情報が前記第１テーブルデータに登録された前記照会機識別情報と異なる場合であっても、前記入力座席位置情報が入力されている場合には、
前記入力座席位置情報が前記第１テーブルデータに登録された前記座席位置情報と同じで、かつ、前記照合対象帳票内での前記押印欄の横方向及び高さ方向の位置に合致する前記登録印影表示位置情報が前記第１テーブルデータに登録されているときに、
前記該当表示位置情報が前記第１テーブルデータに登録されていると見なす
ことを特徴とする印鑑照会機。
【請求項１６】
請求項１４に記載の印鑑照会機において、
前記表示位置決定部は、
前記使用照会機の前記照会機識別情報が前記第１テーブルデータに登録された前記照会機識別情報と同じ場合で、かつ、前記座席位置が変更されていない場合には、
前記照合対象帳票内での前記押印欄の横方向及び高さ方向の位置に合致する前記登録印影表示位置情報が前記第１テーブルデータに登録されているときに、
前記該当表示位置情報が前記第１テーブルデータに登録されていると見なす
ことを特徴とする印鑑照会機。
【請求項１７】
請求項１６に記載の印鑑照会機において、
前記表示位置決定部は、
前記使用照会機の前記照会機識別情報が前記第１テーブルデータに登録された前記照会機識別情報と同じ場合で、かつ、前記座席位置が変更されている場合であっても、前記入力座席位置情報が入力されている場合には、
前記入力座席位置情報が前記第１テーブルデータに登録された前記座席位置情報と同じで、かつ、前記照合対象帳票内での前記押印欄の横方向及び高さ方向の位置に合致する前記登録印影表示位置情報が前記第１テーブルデータに登録されているときに、
前記該当表示位置情報が前記第１テーブルデータに登録されていると見なす
ことを特徴とする印鑑照会機。
【請求項１８】
請求項１１乃至請求項１７のいずれか一項に記載の印鑑照会機において、
さらに、操作者によって各種の情報が入力される入力部を備え、
前記操作者によって、入力部から、前記入力座席位置情報及び前記照合対象帳票内での押印欄の高さ方向の位置を表す入力押印欄位置情報が入力された場合に、
前記表示位置決定部が、前記入力座席位置情報に基づいて、前記印影画像の横方向の表示位置を決定するとともに、前記入力押印欄位置情報に基づいて、前記印影画像の高さ方向の表示位置を決定する
ことを特徴とする印鑑照会機。
【請求項１９】
請求項１１乃至請求項１８のいずれか一項に記載の印鑑照会機において、
前記データベースサーバは、前記照合対象帳票に予め割り振られた帳票識別情報と前記帳票内での押印欄の横方向及び高さ方向の位置を表す登録押印欄位置情報とが対応付けて登録される第２テーブルデータを格納しており、
さらに、操作者によって各種の情報が入力される入力部と、
前記データベースサーバから、前記登録印影画像情報を含む、各種の情報を取得する情報取得部とを備え、
前記操作者によって、前記入力部から、前記入力座席位置情報及び前記帳票識別情報が入力された場合に、
前記情報取得部が、前記データベースサーバから、前記帳票識別情報に対応付けられて前記第２テーブルデータに登録された前記登録押印欄位置情報を取得し、
前記表示位置決定部が、前記入力座席位置情報に基づいて、前記印影画像の横方向の表示位置を決定するとともに、前記登録押印欄位置情報に基づいて、前記印影画像の高さ方向の表示位置を決定する
ことを特徴とする印鑑照会機。
【請求項２０】
請求項１１に記載の印鑑照会機において、
さらに、前記入力座席位置情報が予め格納される記憶部を有しており、
前記データベースサーバは、帳票内での押印欄の横方向及び高さ方向の位置に対応する前記印影画像の表示位置を規定する情報が、登録印影表示位置情報として、前記印鑑照会機を操作する操作者に予め割り振られた操作者識別情報毎に、前記印鑑照会機に対する横方向の前記操作者の座席位置の想定される複数パタンに対応付けられて登録される第１テーブルデータを格納しており、
前記表示位置決定部は、前記データベースサーバから、前記第１テーブルに登録された、前記使用操作者の前記操作者識別情報と、前記記憶部に格納された前記入力座席位置情報に合致するパタンの前記登録印影表示位置情報を、該当表示位置情報として取得し、前記印影画像の表示位置を前記該当表示位置情報の表す位置に決定する
ことを特徴とする印鑑照会機。
【請求項２１】
印鑑の印影画像を照会する複数の印鑑照会機と通信可能に接続されており、前記印鑑の印影画像を表す登録印影画像情報を含む、各種の情報を格納するデータベースを管理するサーバにおいて、
前記データベースは、帳票内での押印欄の横方向及び高さ方向の位置に対応する前記印影画像の表示位置を規定する情報が、登録印影表示位置情報として、前記印鑑照会機を操作する操作者に予め割り振られた操作者識別情報毎に、前記印鑑照会機に予め割り振られた照会機識別情報と、前記印鑑照会機に対する横方向の前記操作者の座席位置を表す座席位置情報とに対応付けられて登録される第１テーブルデータを格納している
ことを特徴とするサーバ。
【請求項２２】
請求項２１に記載のサーバにおいて、
前記データベースは、さらに、照合の対象となる印影が押印された帳票を照合対象帳票とし、当該照合対象帳票に予め割り振られた帳票識別情報と前記帳票内での前記押印欄の横方向及び高さ方向の位置を表す登録押印欄位置情報とが対応付けて登録される第２テーブルデータを格納している
ことを特徴とするサーバ。
【請求項２３】
印鑑の印影画像を表す登録印影画像情報を含む、各種の情報を格納するデータベースサーバと通信可能に接続されており、前記データベースサーバから取得された前記登録印影画像情報によって表される前記印影画像を表示する表示部を備えるコンピュータを、印鑑照会機として機能させるプログラムであって、
前記コンピュータを、
前記印影画像の表示位置を決定する表示位置決定部として機能させ、
前記表示位置決定部は、
当該印鑑照会機を使用中の操作者を使用操作者とし、照合の対象となる印影が押印された帳票を照合対象帳票とし、
前記使用操作者が当該印鑑照会機の操作者として登録された登録操作者と異なる場合に、当該印鑑照会機に対する横方向の前記使用操作者の座席位置を表す入力座席位置情報に基づいて、前記印影画像の横方向の表示位置を決定するとともに、前記照合対象帳票内での押印欄の高さ方向の位置に基づいて、前記印影画像の高さ方向の表示位置を決定する
ことを特徴とするプログラム。
【請求項２４】
請求項２３に記載のプログラムにおいて、
前記コンピュータは、帳票内での押印欄の横方向及び高さ方向の位置に対応する前記印影画像の表示位置を規定する情報が、登録印影表示位置情報として、前記印鑑照会機を操作する操作者に予め割り振られた操作者識別情報毎に、前記印鑑照会機に予め割り振られた照会機識別情報と、前記印鑑照会機に対する横方向の前記操作者の座席位置を表す座席位置情報とに対応付けられて登録される第１テーブルデータを格納している前記データベースサーバと通信可能に接続されており、
前記表示位置決定部は、
当該印鑑照会機に対する横方向の前記使用操作者の座席位置に合致する位置を表す前記座席位置情報に対応付けられた前記登録印影表示位置情報であって、かつ、前記照合対象帳票内での前記押印欄の横方向及び高さ方向の位置に合致する前記登録印影表示位置情報を、該当表示位置情報とし、
前記該当表示位置情報が前記第１テーブルデータに登録されていると見なされる場合に、前記印影画像の表示位置を前記該当表示位置情報の表す位置に決定し、
一方、当該該当表示位置情報が前記第１テーブルデータに登録されていないと見なされる場合に、前記入力座席位置情報に基づいて、前記印影画像の横方向の表示位置を決定するとともに、前記照合対象帳票内での押印欄の高さ方向の位置に基づいて、前記印影画像の高さ方向の表示位置を決定する
ことを特徴とするプログラム。
【請求項２５】
請求項２４に記載のプログラムにおいて、
前記表示位置決定部は、
前記使用操作者が使用している前記印鑑照会機を使用照会機とし、
前記使用照会機の前記照会機識別情報が前記第１テーブルデータに登録された前記照会機識別情報と同じ場合で、かつ、前記照合対象帳票内での前記押印欄の横方向及び高さ方向の位置に合致する前記登録印影表示位置情報が前記第１テーブルデータに登録されている場合に、
前記該当表示位置情報が前記第１テーブルデータに登録されていると見なす
ことを特徴とするプログラム。
【請求項２６】
請求項２５に記載のプログラムにおいて、
前記表示位置決定部は、
前記使用照会機の前記照会機識別情報が前記第１テーブルデータに登録された前記照会機識別情報と異なる場合であっても、前記入力座席位置情報が入力されている場合には、
前記入力座席位置情報が前記第１テーブルデータに登録された前記座席位置情報と同じで、かつ、前記照合対象帳票内での前記押印欄の横方向及び高さ方向の位置に合致する前記登録印影表示位置情報が前記第１テーブルデータに登録されているときに、
前記該当表示位置情報が前記第１テーブルデータに登録されていると見なす
ことを特徴とするプログラム。
【請求項２７】
請求項２５に記載のプログラムにおいて、
前記表示位置決定部は、
前記使用照会機の前記照会機識別情報が前記第１テーブルデータに登録された前記照会機識別情報と同じ場合で、かつ、前記座席位置が変更されていない場合には、
前記照合対象帳票内での前記押印欄の横方向及び高さ方向の位置に合致する前記登録印影表示位置情報が前記第１テーブルデータに登録されているときに、
前記該当表示位置情報が前記第１テーブルデータに登録されていると見なす
ことを特徴とするプログラム。
【請求項２８】
請求項２７に記載のプログラムにおいて、
前記表示位置決定部は、
前記使用照会機の前記照会機識別情報が前記第１テーブルデータに登録された前記照会機識別情報と同じ場合で、かつ、前記座席位置が変更されている場合であっても、前記入力座席位置情報が入力されている場合には、
前記入力座席位置情報が前記第１テーブルデータに登録された前記座席位置情報と同じで、かつ、前記照合対象帳票内での前記押印欄の横方向及び高さ方向の位置に合致する前記登録印影表示位置情報が前記第１テーブルデータに登録されているときに、
前記該当表示位置情報が前記第１テーブルデータに登録されていると見なす
ことを特徴とするプログラム。
【請求項２９】
請求項２３乃至請求項２８のいずれか一項に記載のプログラムにおいて、
前記コンピュータは、さらに、操作者によって各種の情報が入力される入力部を備えており、
前記操作者によって、入力部から、前記入力座席位置情報及び前記照合対象帳票内での前記押印欄の高さ方向の位置を表す入力押印欄位置情報が入力された場合に、
前記表示位置決定部が、前記入力座席位置情報に基づいて、前記印影画像の横方向の表示位置を決定するとともに、前記入力押印欄位置情報に基づいて、前記印影画像の高さ方向の表示位置を決定する
ことを特徴とするプログラム。
【請求項３０】
請求項２３乃至請求項２９のいずれか一項に記載のプログラムにおいて、
前記コンピュータは、前記照合対象帳票に予め割り振られた帳票識別情報と前記帳票内での前記押印欄の横方向及び高さ方向の位置を表す登録押印欄位置情報とが対応付けて登録される第２テーブルデータを格納している前記データベースサーバと通信可能に接続されており、
前記コンピュータは、さらに、操作者によって各種の情報が入力される入力部と、前記データベースサーバから、前記登録印影画像情報を含む、各種の情報を取得する情報取得部とを備えており、
前記操作者によって、前記入力部から、前記入力座席位置情報及び前記帳票識別情報が入力された場合に、
前記情報取得部が、前記データベースサーバから、前記帳票識別情報に対応付けられて前記第２テーブルデータに登録された前記登録押印欄位置情報を取得し、
前記表示位置決定部が、前記入力座席位置情報に基づいて、前記印影画像の横方向の表示位置を決定するとともに、前記登録押印欄位置情報に基づいて、前記印影画像の高さ方向の表示位置を決定する
ことを特徴とするプログラム。
【請求項３１】
請求項２３に記載のプログラムにおいて、
前記コンピュータは、
さらに、前記入力座席位置情報が予め格納される記憶部を有するとともに、
帳票内での押印欄の横方向及び高さ方向の位置に対応する前記印影画像の表示位置を規定する情報が、登録印影表示位置情報として、前記印鑑照会機を操作する操作者に予め割り振られた操作者識別情報毎に、前記印鑑照会機に対する横方向の前記操作者の座席位置の想定される複数パタンに対応付けられて登録される第１テーブルデータを格納している前記データベースサーバと通信可能に接続されており、
前記表示位置決定部は、
前記データベースサーバから、前記第１テーブルに登録された、前記使用操作者の前記操作者識別情報と、前記記憶部に格納された前記入力座席位置情報に合致するパタンの前記登録印影表示位置情報を、該当表示位置情報として取得し、前記印影画像の表示位置を前記該当表示位置情報の表す位置に決定する
ことを特徴とするプログラム。
【発明の詳細な説明】
【技術分野】
【０００１】
本発明は、帳票に付された印影画像とデータベースに登録された登録印影画像との照合作業（照らし合わせて確認する作業）を行うための印鑑照会システム、その印鑑照会システムに用いる印鑑照会機及びサーバ、並びに、印鑑照会機を実現するプログラムに関する。
【背景技術】
【０００２】
従来、帳票に付された印鑑の印影画像とデータベースに登録された印鑑の印影画像（以下、「登録印影画像」と称する）との照合作業（照らし合わせて確認する作業）を行うための印鑑照会システムがあった。その印鑑照会システムは、データベースに登録された登録印影画像を管理するサーバと、サーバと通信可能に接続され、登録印影画像をサーバに照会（問い合わせ）する印鑑照会機（以下、「端末」と称する場合もある）とを有する構成となっている。
【０００３】
従来の印鑑照会システムは、登録印影画像の表示位置が印鑑の種類や操作者のＩＤに応じて印鑑照会機に予め設定されており、照合作業時に、印鑑照会機が登録印影画像をその表示位置に表示する構成となっていた（例えば、特許文献１参照）。
なお、印鑑照会機の中には、操作者が入力部のキーを手動で操作することにより、登録印影画像の表示位置を任意の位置に変更することができる装置もある（例えば、特許文献２参照）。
【先行技術文献】
【特許文献】
【０００４】
【特許文献１】特開２００１−１３４７５８号公報
【特許文献２】特開平１−２１１１８３号公報
【発明の概要】
【発明が解決しようとする課題】
【０００５】
しかしながら、従来の印鑑照会システムは、以下に説明するように、操作者が操作者本来とは異なる印鑑照会機を使用して照合作業を行う場合に、作業効率が低下するという、課題があった。
【０００６】
従来の印鑑照会システムは、操作者が操作者の座席（操作者の着席が許可された座席を含む）に設置された印鑑照会機（以下、「操作者本来の印鑑照会機」と称する）を操作して照合作業を行う場合のみが想定されており、操作者が操作者の座席とは異なる座席に設置された印鑑照会機（以下、「本来とは異なる印鑑照会機」と称する）を操作して照合作業を行うことが想定された構成になっていなかった。
【０００７】
しかしながら、実際には、操作者は、操作者の座席とは異なる座席に一時的に着席して、本来とは異なる印鑑照会機を操作して照合作業を行う場合もある。その場合に、印鑑照会機は、操作者から見て、左側に配置されていたり、右側に配置されていたり、正面に配置されていたりする。
【０００８】
印鑑照会機は、操作者から見て、左側に配置されている場合に、登録印影画像を表示部の右側寄りの位置に表示したり、又は、操作者から見て、右側に配置されている場合に、登録印影画像を表示部の左側寄りの位置に表示したりすると、登録印影画像が操作者から離れた位置に表示される。そのため、このような場合に、登録印影画像が、操作者から見難くなる。
【０００９】
したがって、従来の印鑑照会システムは、操作者が本来とは異なる印鑑照会機を操作して照合作業を行う場合に、登録印影画像が見難くなるときがあった。
【００１０】
このような従来の印鑑照会システムは、印鑑照会機が登録印影画像の表示位置を手動で変更できない構成になっていると、見難い登録印影画像の閲覧を操作者に強いる。
【００１１】
また、従来の印鑑照会システムは、たとえ、印鑑照会機が登録印影画像の表示位置を手動で変更できる構成になっていても、照合作業を開始する際に、登録印影画像の表示位置の調整作業を操作者に強いる。
【００１２】
その結果、従来の印鑑照会システムは、操作者が本来とは異なる印鑑照会機を使用して照合作業を行う場合に、これらの要因によって、作業効率が低下していた。
【００１３】
本発明は、前記した課題を解決するためになされたものであり、操作者が本来とは異なる印鑑照会機を使用して照合作業を行う場合に、作業効率が低下するのを抑制する印鑑照会システムを提供することを主な目的とする。また、本発明は、当該印鑑照会システムに用いる印鑑照会機及びサーバ、並びに、当該印鑑照会機を実現するプログラムを提供することも主な目的とする。
【課題を解決するための手段】
【００１４】
前記目的を達成するため、第１発明は、印鑑の印影画像を表す登録印影画像情報を含む、各種の情報を格納するデータベースサーバと通信可能に接続されている複数の印鑑照会機を有する印鑑照会システムであって、前記印鑑照会機は、前記データベースサーバから取得された前記登録印影画像情報によって表される前記印影画像を表示する表示部と、前記印影画像の表示位置を決定する表示位置決定部とを備えており、前記表示位置決定部は、当該印鑑照会機を使用中の操作者を使用操作者とし、照合の対象となる印影が押印された帳票を照合対象帳票とし、前記使用操作者が当該印鑑照会機の操作者として登録された登録操作者と異なる場合に、当該印鑑照会機に対する横方向の前記使用操作者の座席位置を表す入力座席位置情報に基づいて、前記印影画像の横方向の表示位置を決定する構成とする。
【００１５】
この印鑑照会システムは、使用操作者が印鑑照会機の操作者として登録された登録操作者と異なる場合に、印鑑照会機の表示位置決定部が、印鑑照会機に対する横方向の使用操作者の座席位置を表す入力座席位置情報に基づいて、印影画像の横方向の表示位置を決定する。そのため、この印鑑照会システムは、操作者が本来とは異なる印鑑照会機を使用して照合作業を行う場合に、登録印影画像を操作者にとって好適な位置（操作者から見え易い位置）に自動的に表示させることができる。これにより、この印鑑照会システムは、操作者が本来とは異なる印鑑照会機を使用して照合作業を行う場合に、作業効率が低下するのを抑制することができる。
【００１６】
また、第２発明は、印鑑の印影画像を表す登録印影画像情報を含む、各種の情報を格納するデータベースサーバと通信可能に接続されている印鑑照会機であって、前記データベースサーバから取得された前記登録印影画像情報によって表される前記印影画像を表示する表示部と、前記印影画像の表示位置を決定する表示位置決定部とを備えており、前記表示位置決定部は、当該印鑑照会機を使用中の操作者を使用操作者とし、照合の対象となる印影が押印された帳票を照合対象帳票とし、前記使用操作者が当該印鑑照会機の操作者として登録された登録操作者と異なる場合に、当該印鑑照会機に対する横方向の前記使用操作者の座席位置を表す入力座席位置情報に基づいて、前記印影画像の横方向の表示位置を決定する構成とする。
【００１７】
また、第３発明は、印鑑の印影画像を照会する複数の印鑑照会機と通信可能に接続されており、前記印鑑の印影画像を表す登録印影画像情報を含む、各種の情報を格納するデータベースを管理するサーバであって、前記データベースは、帳票内での押印欄の横方向及び高さ方向の位置に対応する前記印影画像の表示位置を規定する情報が、登録印影表示位置情報として、前記印鑑照会機を操作する操作者に予め割り振られた操作者識別情報毎に、前記印鑑照会機に予め割り振られた照会機識別情報と、前記印鑑照会機に対する横方向の前記操作者の座席位置を表す座席位置情報とに対応付けられて登録される第１テーブルデータを格納している構成とする。
【００１８】
また、第４発明は、印鑑の印影画像を表す登録印影画像情報を含む、各種の情報を格納するデータベースサーバと通信可能に接続されており、前記データベースサーバから取得された前記登録印影画像情報によって表される前記印影画像を表示する表示部を備えるコンピュータを、印鑑照会機として機能させるプログラムであって、前記コンピュータを、前記印影画像の表示位置を決定する表示位置決定部として機能させ、前記表示位置決定部は、当該印鑑照会機を使用中の操作者を使用操作者とし、照合の対象となる印影が押印された帳票を照合対象帳票とし、前記使用操作者が当該印鑑照会機の操作者として登録された登録操作者と異なる場合に、当該印鑑照会機に対する横方向の前記使用操作者の座席位置を表す入力座席位置情報に基づいて、前記印影画像の横方向の表示位置を決定するとともに、前記照合対象帳票内での押印欄の高さ方向の位置に基づいて、前記印影画像の高さ方向の表示位置を決定する構成とする。
【発明の効果】
【００１９】
第１発明によれば、操作者が本来とは異なる印鑑照会機を使用して照合作業を行う場合に、登録印影画像を操作者にとって好適な位置（操作者から見え易い位置）に表示させて、作業効率が低下するのを抑制する印鑑照会システムを提供することができる。
また、第２発明によれば、第１発明に係る印鑑照会システムに用いる印鑑照会機を提供することができる。
また、第３発明によれば、第１発明に係る印鑑照会システムに用いるサーバを提供することができる。
また、第４発明によれば、第２発明に係る印鑑照会機を実現するプログラムを提供することができる。
【図面の簡単な説明】
【００２０】
【図１】実施形態に係る印鑑照会システムの構成を示す図である。
【図２】実施形態に係る印鑑照会機の内部構成を示す図である。
【図３Ａ】実施形態で用いる操作者テーブルの一例を示す図である。
【図３Ｂ】実施形態で用いる帳票テーブルの一例を示す図である。
【図３Ｃ】実施形態で用いる照会機テーブルの一例を示す図である。
【図３Ｄ】実施形態で用いる科目テーブルの一例を示す図である。
【図３Ｅ】実施形態で用いる印影テーブルの一例を示す図である。
【図４Ａ】実施形態に係る印鑑照会システムの動作を示すフローチャート（１）である。
【図４Ｂ】実施形態に係る印鑑照会システムの動作を示すフローチャート（２）である。
【図５Ａ】変形例に係る印鑑照会システムの動作を示すフローチャート（１）である。
【図５Ｂ】変形例に係る印鑑照会システムの動作を示すフローチャート（２）である。
【発明を実施するための形態】
【００２１】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２２】
本実施形態に係る印鑑照会システムは、操作者が本来とは異なる印鑑照会機を使用して照合作業を行う場合であっても、登録印影画像を操作者にとって好適な位置（操作者から見え易い位置）に自動的に表示させる構成とする。そのために、本実施形態に係る印鑑照会システムは、使用操作者が印鑑照会機の操作者として登録された登録操作者と異なる場合に、印鑑照会機が、印鑑照会機（特に、その表示部）に対する横方向の使用操作者の座席位置を表す入力座席位置情報に基づいて、印影画像の横方向の表示位置を決定するとともに、照合対象帳票内での押印欄の高さ方向の位置に基づいて、印影画像の高さ方向の表示位置を決定する。以下、この決定を、「座席位置及び押印欄の位置に基づく表示位置の決定」と称する。
【００２３】
ただし、登録印影画像の表示位置は、操作者の好みによって、好適な位置が異なる場合がある。本実施形態に係る印鑑照会システムは、このような場合であっても、登録印影画像の表示位置を好適な位置に表示することができるように、データベースサーバに、操作者の好みに合致した表示位置を予め登録しておき、使用操作者を登録操作者と見なすための所定の条件を満たす場合に、登録印影画像の表示位置をデータベースサーバに登録された表示位置に決定し、所定の条件を満たさない場合に、前記した「座席位置及び押印欄の位置に基づく表示位置の決定」を行う構成とする。なお、本実施形態では、「（使用操作者を登録操作者と見なすための）所定の条件」とは、例えば、後記する「該当表示位置情報が第１テーブルデータ（操作者テーブルＴ１）に登録されている」ことを意味しているものとして説明する。
【００２４】
＜印鑑照会システムの構成＞
以下、図１を参照して、本実施形態に係る印鑑照会システムの構成につき説明する。なお、図１は、実施形態に係る印鑑照会システムの構成を示す図である。
本実施形態に係る印鑑照会システム１は、帳票に付された印鑑の印影画像とデータベース（以下、「印鑑ＤＢ２３」と称する）に登録された印鑑の印影画像（以下、「登録印影画像」と称する）との照合作業を行うためのシステムである。
【００２５】
図１に示すように、印鑑照会システム１は、印鑑ＤＢ２３に登録された登録印影画像を表す情報（以下、「登録印影画像情報」と称する）を管理するサーバ（以下、「印鑑ＤＢサーバ２２」と称する）と、印鑑ＤＢサーバ２２と通信可能に接続され、登録印影画像情報を印鑑ＤＢサーバ２２に照会（問い合わせ）する１乃至複数（図示例では、複数）の印鑑照会機１１（以下、「端末」と称する場合もある）とを有する構成となっている。
【００２６】
印鑑ＤＢ２３は、印鑑に関する情報が登録されるデータベースである。印鑑ＤＢ２３は、印鑑ＤＢサーバ２２の内部のＨＤＤ等の記憶手段、又は、ＬＡＮ等の通信回線によって印鑑ＤＢサーバ２２と通信可能に接続された記憶装置に構築される。印鑑ＤＢ２３には、印鑑の印影画像や署名画像等の情報が、口座情報に関連付けられて登録される。なお、ここでは、「口座情報」は、店番や、科目、口座番号、枝番等の情報によって構成されているものとして説明する。
【００２７】
印鑑ＤＢサーバ２２及び印鑑ＤＢ２３は、主に、データを集中的に管理するデータセンタ２０に設置されている。そのデータセンタ２０には、印鑑ＤＢサーバ２２及び印鑑ＤＢ２３に加え、印鑑コントローラサーバ２１や、エントリＰＣ２４等の装置が設置されている。
【００２８】
印鑑コントローラサーバ２１は、印鑑照会機１１からの印鑑ＤＢサーバ２２へのアクセスに対して、許可制限を行うサーバである。印鑑コントローラサーバ２１は、印鑑照会機１１から印鑑ＤＢサーバ２２にアクセスがあった場合に、印鑑照会機１１から受信された操作者のランクや照会する口座の科目等の情報に基づいて、操作者の権限を確認し、印影照合の可否を判定する。
エントリＰＣ２４は、顧客の口座情報の登録・変更・削除等の処理を行うための装置である。
データセンタ２０に設置されたこれらの機器は、例えば、ＬＡＮ２９等の通信回線によって、互いに通信可能に接続されている。
【００２９】
印鑑照会機１１は、印鑑ＤＢサーバ２２から、印鑑ＤＢ２３に登録された印影照合の対象となる登録印影画像や署名画像等の情報を取得して、表示部１３０（図２参照）に表示する端末装置である。印鑑照会機１１は、主に、営業店１０に複数台設置されている。各印鑑照会機１１は、例えば、ＬＡＮ１９やネットワーク３０によって、データセンタ２０に設置された印鑑ＤＢサーバ２２と通信可能に接続されている。なお、印鑑照会機１１は、データセンタ２０に設置することもできる。
【００３０】
＜印鑑照会機の構成＞
以下、図２を参照して、印鑑照会機１１の構成につき説明する。図２は、実施形態に係る印鑑照会機の内部構成を示す図である。ここでは、印鑑照会機１１がパーソナルコンピュータとして構成されている場合を想定して説明する。そのパーソナルコンピュータは、後記する制御部１１０が後記するプログラム記憶部１２０ａに予め格納された制御プログラムを実行することにより、印鑑照会機１１として機能する。なお、印鑑照会機１１は、例えば、ＬＣＤ等の表示部とテンキー等の入力部とを有する専用の端末装置として構成することもできる。
【００３１】
図２に示すように、印鑑照会機１１は、印鑑照会機１１の動作を制御する制御部１１０、印鑑照会に用いる各種の情報を記憶する記憶部１２０、各種の情報を表示する表示部１３０、各種の情報の入力を受け付ける入力部１４０、及び、外部の機器（ここでは、主に、印鑑ＤＢサーバ２２）との通信を行う通信部１５０を有している。
【００３２】
制御部１１０は、ＣＰＵによって構成されている。本実施形態では、制御部１１０ａ〜１１０ｆは、後記するプログラム記憶部１２０ａに予め格納された制御プログラムを実行することにより、表示制御部１１０ａ、入力制御部１１０ｂ、通信制御部１１０ｃ、情報取得部１１０ｄ、表示位置決定部１１０ｅ、及び、処理実行部１１０ｆとして機能する。
【００３３】
表示制御部１１０ａは、表示部１３０の表示を制御する機能手段である。
入力制御部１１０ｂは、入力部１４０からの情報の入力を受け付ける機能手段である。
通信制御部１１０ｃは、通信部１５０による通信を制御する機能手段である。
情報取得部１１０ｄは、印鑑照会に必要な情報を取得する機能手段である。
表示位置決定部１１０ｅは、表示部１３０での登録印影画像の表示位置を決定する機能手段である。
処理実行部１１０ｆは、例えば、顧客の口座照会情報を閲覧する「口座照会」処理（図４ＡのＳ１４０参照）や、印鑑照会機１１（特に、印鑑照会機１１の表示部１３０）の横方向に対する操作者の座席位置を設定する「座席選択」処理（図４ＡのＳ１４０参照）等を実行する機能手段である。
【００３４】
記憶部１２０は、ＲＯＭや、ＲＡＭ、ＨＤＤ等によって構成されている。本実施形態では、記憶部１２０は、プログラム記憶部１２０ａ、入力情報記憶部１２０ｂ、及び、取得情報記憶部１２０ｃを備えている。
【００３５】
プログラム記憶部１２０ａは、コンピュータを印鑑照会機１１として機能させるための制御プログラムが予め格納される記憶領域である。
入力情報記憶部１２０ｂは、入力部１４０から操作者によって入力された情報（以下、「入力情報」と称する）が格納される記憶領域である。
取得情報記憶部１２０ｃは、印鑑ＤＢサーバ２２から取得された情報（以下、「取得情報」と称する）が格納される記憶領域である。
【００３６】
＜印鑑ＤＢに格納されるデータの構成＞
印鑑ＤＢ２３には、テーブル形式で様々なデータが予め格納される。
以下、図３Ａ〜図３Ｅを参照して、印鑑ＤＢ２３に格納されるデータの一例につき説明する。ここでは、印鑑照会機１１にログインした操作者と他の操作者とを区別する場合に、印鑑照会機１１にログインした操作者を「ログイン操作者」と称する。「ログイン操作者」は、特許請求の範囲に記載された「使用操作者」に相当する。
【００３７】
図３Ａは、実施形態で用いる操作者テーブルの一例を示す図である。
図３Ａに示す操作者テーブルＴ１は、印鑑照会機１１の操作者に関する情報が登録されるテーブル形式のデータである。
図３Ａに示す例では、操作者テーブルＴ１は、操作者ＩＤＴ１ａ、照会機ＩＤＴ１ｂ、座席位置情報Ｔ１ｃ、印影表示位置情報Ｔ１ｄ等の情報を含む構成となっている。
【００３８】
操作者ＩＤＴ１ａは、印鑑照会機１１を操作する操作者の各々に予め割り振られた識別情報である。操作者ＩＤＴ１ａの登録は、印鑑照会機１１の制御部１１０によって行われる。例えば、ログイン操作者が印鑑照会機１１の入力部１４０を操作して操作者テーブルＴ１を印鑑ＤＢ２３に登録する場合に、印鑑照会機１１の制御部１１０が、ログイン時にログイン操作者によって印鑑照会機１１に入力された操作者ＩＤ（以下、「ログイン操作者ＩＤ」と称する）を操作者ＩＤＴ１ａとして操作者テーブルＴ１に登録する。
【００３９】
照会機ＩＤＴ１ｂは、印鑑照会機１１の各々に予め割り振られた識別情報である。照会機ＩＤＴ１ｂの登録は、操作者によって行われる。例えば、操作者が印鑑照会機１１の入力部１４０を操作して操作者テーブルＴ１を印鑑ＤＢ２３に登録する場合に、操作者が、普段使用する印鑑照会機１１のＩＤを照会機ＩＤＴ１ｂとして入力し、印鑑照会機１１の制御部１１０が入力された照会機ＩＤＴ１ｂを操作者テーブルＴ１に登録する。
【００４０】
座席位置情報Ｔ１ｃは、印鑑照会機１１に対する横方向の操作者の座席位置を表す情報である。座席位置情報Ｔ１ｃの登録は、操作者によって行われる。例えば、操作者が印鑑照会機１１の入力部１４０を操作して操作者テーブルＴ１を印鑑ＤＢ２３に登録する場合に、座席位置が印鑑照会機１１（特に、印鑑照会機１１の表示部１３０）に対して左側になる場合の値を「０」とし、座席位置が印鑑照会機１１に対して右側になる場合の値を「１」とし、座席位置が印鑑照会機１１に対して正面になる場合の値を「２」として、操作者が該当する値を入力し、印鑑照会機１１の制御部１１０が入力された値を座席位置情報Ｔ１ｃとして操作者テーブルＴ１に登録する。
【００４１】
印影表示位置情報Ｔ１ｄは、帳票内での押印欄の横方向及び高さ方向の位置に対応する印影画像の表示位置を規定する情報である。印影表示位置情報Ｔ１ｄは、操作者によって個別に設定される。ここでは、印影画像の表示位置は、横方向に、左側、右側、及び、中央（正面）の３つに分割され、高さ方向に、上部、下部、及び、中央の３つに分割された、合計９つの領域に区分されているものとして説明する。
【００４２】
図３Ａに示す例では、印影表示位置情報Ｔ１ｄは、操作者ＩＤＴ１ａ毎に、照会機ＩＤＴ１ｂ、及び、印鑑照会機１１に対する操作者の座席位置情報Ｔ１ｃに対応付けられて操作者テーブルＴ１に登録されている。印影表示位置情報Ｔ１ｄの登録は、操作者によって個別に行われる。例えば、操作者が印鑑照会機１１の入力部１４０を操作して操作者テーブルＴ１を印鑑ＤＢ２３に登録する場合に、操作者が、帳票内での押印欄の横方向及び高さ方向の位置（ここでは、左側上部、中央上部、右側上部、左側中央、中央、右側中央、左側下部、中央下部、右側下部）毎に、押印欄の各位置（図３Ａの一番左側の列の上から４段目〜１２段目の欄参照）に対応する印影画像の表示位置（図３Ａの左から２列目〜ｎ列目の上から４段目〜１２段目の欄参照）を規定する情報を印影表示位置情報Ｔ１ｄとして個別に入力し、印鑑照会機１１の制御部１１０が入力された印影表示位置情報Ｔ１ｄを操作者テーブルＴ１に登録する。
なお、操作者テーブルＴ１は、これらの情報以外に、印影の照合作業に必要とされる情報が登録されていてもよい。
【００４３】
なお、操作者テーブルＴ１は、特許請求の範囲に記載された「第１テーブルデータ」に相当する。すなわち、操作者テーブルＴ１は、帳票内での押印欄の横方向及び高さ方向の位置に対応する印影画像の表示位置を規定する情報（ここでは、印影表示位置情報Ｔ１ｄ）が、登録印影表示位置情報として、印鑑照会機１１を操作する操作者の各々に予め割り振られた操作者識別情報（ここでは、操作者ＩＤＴ１ａ）毎に、印鑑照会機１１の各々に予め割り振られた照会機識別情報（ここでは、照会機ＩＤＴ１ｂ）と、印鑑照会機１１に対する横方向の操作者の座席位置を表す座席位置情報（ここでは、座席位置情報Ｔ１ｃ）とに対応付けられて登録されるテーブル形式のデータである。
【００４４】
図３Ｂは、実施形態で用いる帳票テーブルの一例を示す図である。
図３Ｂに示す帳票テーブルＴ２は、帳票ＩＤ毎に、押印欄の位置情報が登録されるテーブル形式のデータである。
【００４５】
帳票ＩＤは、印鑑の印影が押印欄に押印される帳票の各々に予め割り振られた帳票識別情報である。
押印欄の位置情報は、帳票内での押印欄の横方向及び高さ方向の位置を表す情報である。なお、以下、照合の対象となる印影が押印された帳票を「照合対象帳票」と称する。
なお、帳票テーブルＴ２は、これらの情報以外に、印影の照合作業に必要とされる情報が登録されていてもよい。
【００４６】
帳票テーブルＴ２は、特許請求の範囲に記載された「第２テーブルデータ」に相当する。すなわち、帳票テーブルＴ２は、照合対象帳票に予め割り振られた帳票識別情報と帳票内での押印欄の横方向及び高さ方向の位置を表す登録押印欄位置情報とが対応付けて登録されるテーブル形式のデータである。
【００４７】
図３Ｃは、実施形態で用いる照会機テーブルの一例を示す図である。
図３Ｃに示す照会機テーブルＴ３は、照会機ＩＤ毎に、印鑑照会機１１が設置された店の番号（以下、「設置店番」と称する）が登録されるテーブル形式のデータである。
【００４８】
照会機ＩＤは、図３Ａに示す照会機ＩＤＴ１ｂと同様に、印鑑照会機１１の各々に予め割り振られた照会機識別情報である。
設置店番は、印鑑照会機１１が設置された店を表す識別情報である。
なお、照会機テーブルＴ３は、これらの情報以外に、印影の照合作業に必要とされる情報が登録されていてもよい。
【００４９】
図３Ｄは、実施形態で用いる科目テーブルの一例を示す図である。
図３Ｄに示す科目テーブルＴ４は、科目番号毎に、該当の科目で通常使用される帳票ＩＤが登録されるテーブル形式のデータである。
【００５０】
科目番号は、科目（例えば、「普通口座」等）の各々に予め割り振られた識別情報である。
帳票ＩＤは、前記した通り、印影の照合作業を行う帳票の各々に予め割り振られた帳票識別情報である。
なお、科目テーブルＴ４は、これらの情報以外に、印影の照合作業に必要とされる情報が登録されていてもよい。
【００５１】
図３Ｅは、実施形態で用いる印影テーブルの一例を示す図である。
図３Ｅに示す印影テーブルＴ５は、印鑑の印影画像が登録されるテーブル形式のデータである。図３Ｅに示す例では、印影テーブルＴ５は、印鑑の印影画像を表す情報（登録印影画像情報）が、店番、科目番号、及び、口座番号等の情報に対応付けられて登録されている。
【００５２】
店番は、口座が開設された店を表す識別情報である。
科目番号は、前記した通り、科目の各々に予め割り振られた識別情報である。
口座番号は、顧客が開設した口座を表す識別情報である。
なお、印影テーブルＴ５は、これらの情報以外に、印影の照合作業に必要とされる情報（例えば、署名画像を表す情報）が登録されていてもよい。
【００５３】
＜印鑑照会システムの動作＞
以下、図４Ａ及び図４Ｂを参照して、印鑑照会システム１の動作につき説明する。図４Ａ及び図４Ｂは、それぞれ、実施形態に係る印鑑照会システムの動作を示すフローチャートである。ここでは、操作者テーブルＴ１（図３Ａ参照）に登録された操作者ＩＤＴ１ａ、照会機ＩＤＴ１ｂ、座席位置情報Ｔ１ｃ、及び、印影表示位置情報Ｔ１ｄを、それぞれ、「登録操作者ＩＤＴ１ａ」、「登録照会機ＩＤＴ１ｂ」、「登録座席位置情報Ｔ１ｃ」、及び、「登録印影表示位置情報Ｔ１ｄ」と称する。
【００５４】
なお、各装置は、図示せぬタイマによって計測された時間に基づいて動作する。また、各装置の動作は、各装置の記憶部に読み出し自在に予め格納されたプログラムによって規定されており、各装置の制御部によって実行される。また、装置間の通信は、受信側の装置が通信によって受信されたデータを記憶部に一旦格納し、その後に、データを記憶部から読み出すことによって、行われる。また、各データは、記憶部に読み出し自在に一旦格納されてから、その後の処理を行う所要の構成要素に出力される。以下、これらの点については、情報処理では常套手段であるので、その詳細な説明を省略する。
【００５５】
また、印鑑照会機１１と印鑑ＤＢサーバ２２との間では、印鑑コントローラサーバ２１が、印鑑照会機１１からの印鑑ＤＢサーバ２２へのアクセスに対して、許可制限を行っている。しかしながら、この点については、情報処理では常套手段であり、また、本発明との関連性が低いため、その詳細な説明を省略する。
【００５６】
印鑑照会システム１の印鑑照会機１１及び印鑑ＤＢサーバ２２は、電源が投入されることにより、動作を開始する。このとき、印鑑照会機１１は、例えば、表示制御部１１０ａが、操作者ＩＤ入力用の画面（図示せず）を表示部１３０に表示させる。
なお、「操作者ＩＤ入力用の画面」は、例えば、操作者ＩＤの入力を操作者に要請する文章と操作者ＩＤの入力欄とが含まれた構成になっているものとする。
【００５７】
図４Ａに示すように、印鑑照会システム１の印鑑照会機１１は、操作者によって操作者ＩＤ（ログイン操作者ＩＤ）が入力されて、ログインされる（Ｓ１０５）。このとき、入力制御部１１０ｂ（図２参照）が、入力されたログイン操作者ＩＤを入力情報記憶部１２０ｂ（図２参照）に格納する。以下、操作者によってログインされた印鑑照会機１１の照会機ＩＤを「ログイン照会機ＩＤ」と称する場合がある。
【００５８】
印鑑照会機１１は、ログインされると、通信制御部１１０ｃ（図２参照）が、ログイン操作者ＩＤ及びログイン照会機ＩＤを印鑑ＤＢサーバ２２に送信する（Ｓ１１０）。なお、このとき、印鑑コントローラサーバ２１が、ログイン操作者ＩＤ及びログイン照会機ＩＤに基づいて、印鑑照会機１１からの印鑑ＤＢサーバ２２へのアクセスが許可できるか否かを判定しているが、この点については、詳細な説明を省略する。
【００５９】
印鑑ＤＢサーバ２２は、ログイン操作者ＩＤ及びログイン照会機ＩＤを受信すると、ログイン操作者ＩＤに基づいて、印鑑ＤＢ２３に格納された操作者テーブルＴ１（図３Ａ参照）を参照し、操作者テーブルＴ１から、ログイン操作者ＩＤに該当する登録操作者ＩＤＴ１ａに対応付けられた、登録照会機ＩＤＴ１ｂ、登録座席位置情報Ｔ１ｃ、及び、登録印影表示位置情報Ｔ１ｄを読み出し、これらの情報を印鑑照会機１１に送信する（Ｓ１２０）。
【００６０】
印鑑照会機１１は、印鑑ＤＢサーバ２２から、登録照会機ＩＤＴ１ｂ、登録座席位置情報Ｔ１ｃ、及び、登録印影表示位置情報Ｔ１ｄを受信すると、情報取得部１１０ｄ（図２参照）が受信された情報を取得情報記憶部１２０ｃに格納する。この後、印鑑照会機１１の表示位置決定部１１０ｅ（図２参照）は、取得情報記憶部１２０ｃから登録照会機ＩＤＴ１ｂを読み出し、自身のログイン照会機ＩＤが登録照会機ＩＤＴ１ｂと同じか否かを判定する（Ｓ１２５）。
【００６１】
Ｓ１２５の判定で、ログイン照会機ＩＤが登録照会機ＩＤＴ１ｂと異なると判定された場合（“Ｎｏ”の場合）に、印鑑照会機１１は、表示制御部１１０ａが座席位置の入力を誘導する画面（図示せず）を表示部１３０に表示させるとともに、入力制御部１１０ｂが入力部１４０から入力される座席位置情報（以下、「入力座席位置情報」と称する）の入力を受け付ける（Ｓ１３０）。なお、Ｓ１２５では、登録照会機ＩＤＴ１ｂがＳ１２０で送信された情報の中にない場合にも、“Ｎｏ”と判定される。
【００６２】
Ｓ１３０で、入力座席位置情報を受け付けると、入力制御部１１０ｂは、受け付けた入力座席位置情報を入力情報記憶部１２０ｂに格納する。これにより、印鑑照会機１１は、操作者の座席位置情報が変更される。以後、印鑑照会機１１は、ログイン操作者によって使用されている間は、入力情報記憶部１２０ｂに格納された入力座席位置情報が表す座席位置を、ログイン操作者の座席位置と見なして、動作する。この後、処理は、Ｓ１３５に進む。
【００６３】
なお、「座席位置の入力を誘導する画面」は、例えば、印鑑照会機１１の横方向に対するログイン操作者の座席位置の入力をログイン操作者に要請する文章と座席位置に対応する値の入力欄とが含まれた構成になっているものとする。ここで、座席位置に対応する値（図３Ａの上から３段目の欄参照）は、ログイン操作者の座席位置が印鑑照会機１１に対して左側の場合に、値が「０」となり、座席位置が印鑑照会機１１に対して右側の場合に、値が「１」となり、座席位置が印鑑照会機１１に対して正面の場合に、値が「２」となるものとして説明する。
【００６４】
一方、Ｓ１２５の判定で、ログイン照会機ＩＤが登録照会機ＩＤＴ１ｂと同じと判定された場合（“Ｙｅｓ”の場合）に、印鑑照会機１１は、表示制御部１１０ａが、処理選択用のメニュー画面（図示せず）を表示部１３０に表示させる（Ｓ１３５）。
【００６５】
なお、「処理選択用のメニュー画面」は、例えば、複数の選択可能な処理の中からの所望の処理の選択をログイン操作者に要請する文章と各処理に対応する選択ボタンとが含まれた構成になっているものとする。ここでは、複数の選択可能な処理として、例えば、「印影照合」処理、「口座照会」処理、及び、「座席選択」処理の３つの処理があるものとして説明する。
【００６６】
「印影照合」処理は、ログイン操作者が、帳票（以下、「照合対象帳票」と称する）の押印欄に押印された照合の対象となる印鑑の印影画像（以下、「照合対象印影画像」と称する）と、印鑑ＤＢ２３の印影テーブルＴ５に登録された印鑑の印影画像（以下、「登録印影画像」と称する）との照合作業を行えるように、印鑑ＤＢサーバ２２から照合対象印影画像に該当する登録印影画像を取得して、表示部１３０に表示する処理を意味している。
【００６７】
「口座照会」処理は、顧客の情報を管理する管理サーバ（図示せず）から顧客の口座情報を取得して、表示部１３０に表示する処理を意味している。
【００６８】
「座席選択」処理は、印鑑照会機１１の横方向に対する座席位置を選択する処理を意味している。「座席選択」処理は、例えば、ログインされた印鑑照会機１１がログイン操作者の登録照会機であっても、印鑑照会機１１の横方向に対するログイン操作者の座席位置を変更する場合に、選択される。なお、「登録照会機」とは、ログイン操作者の操作者ＩＤＴ１ａと対応付けられて操作者テーブルＴ１に登録された照会機ＩＤＴ１ｂ（図３Ａ参照）と一致する照会機ＩＤの印鑑照会機１１を意味している。
【００６９】
Ｓ１３５の後、印鑑照会機１１の入力制御部１１０ｂ（図２参照）は、ログイン操作者が、処理選択用のメニュー画面で、何を選択したのかを判定する（Ｓ１４０）。
【００７０】
Ｓ１４０の判定で、ログイン操作者が「印影照合」処理を選択したと判定された場合に、印鑑照会機１１は、印影照合作業を開始する（ＳＡ１）。
【００７１】
また、Ｓ１４０の判定で、ログイン操作者が「口座照会」処理を選択したと判定された場合に、印鑑照会機１１は、処理実行部１１０ｆが口座照会作業を実行する（ＳＢ１）。この後、処理は、Ｓ１３５に戻る。なお、「口座照会」作業は、顧客の口座照会情報を閲覧する作業を意味している。「口座照会」作業では、印鑑照会機１１が、顧客の口座照会情報を管理する図示せぬ管理サーバから、顧客の口座照会情報を取得して、表示部１３０に表示する処理を行う。なお、「口座照会」作業については、公知の処理であり、また、本発明との関連性が低いので、ここでは、その詳細な説明を省略する。
【００７２】
また、Ｓ１４０の判定で、ログイン操作者が「座席選択」処理を選択したと判定された場合に、印鑑照会機１１は、Ｓ１３０と同様に、表示制御部１１０ａが座席位置の入力を誘導する画面（図示せず）を表示部１３０に表示させるとともに、入力制御部１１０ｂが入力座席位置情報の入力を受け付ける（ＳＣ１）。そして、入力制御部１１０ｂは、受け付けた入力座席位置情報を入力情報記憶部１２０ｂに格納する。これにより、印鑑照会機１１は、操作者の座席位置の設定が変更される。以後、印鑑照会機１１は、ログイン操作者によって使用されている間は、入力情報記憶部１２０ｂに格納された入力座席位置情報が表す座席位置を、ログイン操作者の座席位置と見なして、動作する。この後、処理は、Ｓ１３５に戻る。
【００７３】
印鑑照会機１１は、ＳＡ１で、印影照合作業を開始すると、表示制御部１１０ａが口座情報入力用の画面（図示せず）を表示部１３０に表示させるとともに、入力制御部１１０ｂが入力部１４０から入力される口座情報の入力を受け付ける（Ｓ２０５）。
【００７４】
なお、「口座情報入力用の画面」は、例えば、店番や、科目、口座番号、帳票ＩＤ（任意）等の情報の入力をログイン操作者に要請する文章とこれらの情報の入力欄とが含まれた構成になっているものとする。
【００７５】
入力制御部１１０ｂは、口座情報の入力を受け付けると、帳票ＩＤの入力があったか否かを判定する（Ｓ２１０）。
Ｓ２１０の判定で、帳票ＩＤの入力があったと判定された場合（“Ｙｅｓ”の場合）に、印鑑照会機１１は、通信制御部１１０ｃが、店番、科目、及び、口座番号等の口座情報と、帳票ＩＤとを印鑑ＤＢサーバ２２に送信する（Ｓ２１５）。
一方、Ｓ２１０の判定で、帳票ＩＤの入力がなかったと判定された場合（“Ｎｏ”の場合）に、印鑑照会機１１は、通信制御部１１０ｃが、店番、科目、及び、口座番号等の口座情報を印鑑ＤＢサーバ２２に送信する（Ｓ２２０）。
【００７６】
Ｓ２１５又はＳ２２０の後、印鑑ＤＢサーバ２２は、印鑑照会機１１から口座情報を受信すると、口座情報に基づいて、印鑑ＤＢ２３に格納された印影テーブルＴ５（図３Ｅ参照）を参照し、印影テーブルＴ５から、店番、科目、及び、口座番号等の口座情報に対応付けられた印影画像情報を読み出す。
【００７７】
そして、印鑑ＤＢサーバ２２は、Ｓ２１５で印鑑照会機１１から送信された帳票ＩＤに基づいて、印鑑ＤＢ２３に格納された帳票テーブルＴ２（図３Ｂ参照）を参照し、帳票テーブルＴ２から、押印欄の位置情報を読み出す。
又は、印鑑ＤＢサーバ２２は、Ｓ２２０で印鑑照会機１１から送信された「科目」情報に基づいて、印鑑ＤＢ２３に格納された科目テーブルＴ４（図３Ｄ参照）を参照し、科目テーブルＴ４から、科目番号に対応する帳票ＩＤを読み出し、読み出された帳票ＩＤに基づいて、印鑑ＤＢ２３に格納された帳票テーブルＴ２（図３Ｂ参照）を参照し、帳票テーブルＴ２から、押印欄の位置情報を読み出す。
【００７８】
なお、「押印欄の位置情報」は、例えば、図３Ａに示す左から２列目のデータであれば、操作者ＩＤが「１０００」で、照会機ＩＤが「１００」で、座席位置情報が左側を表す値「０」という情報に対応付けられて操作者テーブルＴ１に登録された、「押印欄＝左側上部」に対する「左側上部」という情報、「押印欄＝中央上部」に対する「中央」という情報、「押印欄＝右側上部」に対する「右側中央」という情報、「押印欄＝左側中央」に対する「中央」という情報、「押印欄＝中央」に対する「左側中央」という情報、「押印欄＝右側中央」に対する「中央」という情報、「押印欄＝左側下部」に対する「左側下部」という情報、「押印欄＝中央下部」に対する「左側下部」という情報、及び、「押印欄＝右側下部」に対する「左側下部」という情報を意味する。
【００７９】
印鑑ＤＢサーバ２２は、印影画像情報及び押印欄の位置情報を読み出すと、読み出された印影画像情報及び押印欄の位置情報を印鑑照会機１１に送信する（Ｓ２２５）。これにより、印鑑ＤＢサーバ２２は、一連のルーチンの処理を終了する。
【００８０】
図４Ｂに示すように、印鑑照会機１１は、印鑑ＤＢサーバ２２から印影画像情報及び押印欄の位置情報を受信すると、情報取得部１１０ｄ（図２参照）が受信された情報を取得情報記憶部１２０ｃに格納する。この後、印鑑照会機１１の表示位置決定部１１０ｅ（図２参照）は、Ｓ１２０で印鑑ＤＢサーバ２２から送信されかつ取得情報記憶部１２０ｃに格納された情報の中に、登録照会機ＩＤＴ１ｂがあるか否かを判定する（Ｓ２３０）。
【００８１】
Ｓ２３０の判定で、Ｓ１２０で印鑑ＤＢサーバ２２から送信された情報の中に、登録照会機ＩＤＴ１ｂがあると判定された場合（“Ｙｅｓ”の場合）に、表示位置決定部１１０ｅは、自身のログイン照会機ＩＤが登録照会機ＩＤＴ１ｂと同じか否かを判定する（Ｓ２３５）。
【００８２】
一方、Ｓ２３０の判定で、Ｓ１２０で印鑑ＤＢサーバ２２から送信された情報の中に、登録照会機ＩＤＴ１ｂがないと判定された場合（“Ｎｏ”の場合）に、処理は、Ｓ２６０に進む。
【００８３】
Ｓ２３５の判定で、自身のログイン照会機ＩＤが登録照会機ＩＤＴ１ｂと同じであると判定された場合（“Ｙｅｓ”の場合）に、表示位置決定部１１０ｅは、操作者の座席位置の変更がないかを判定する（Ｓ２３６）。
【００８４】
Ｓ２３６の判定は、図４Ａに示すＳＣ１の「座席位置の入力受付」処理が実行されていない場合に、操作者の座席位置の変更がない（“Ｙｅｓ”）と判定され、一方、図４Ａに示すＳＣ１の「座席位置の入力受付」処理が実行されて、操作者の座席位置の設定が変更された場合に、操作者の座席位置の変更がある（“Ｎｏ”）と判定される。
【００８５】
Ｓ２３６の判定で、操作者の座席位置の変更がないと判定された場合（“Ｙｅｓ”の場合）に、処理は、Ｓ２４５に進む。一方、Ｓ２３６の判定で、操作者の座席位置の変更があると判定された場合（“Ｎｏ”の場合）に、処理は、Ｓ２４０に進む。
【００８６】
また、Ｓ２３５の判定で、自身のログイン照会機ＩＤが登録照会機ＩＤＴ１ｂと異なると判定された場合（“Ｎｏ”の場合）に、処理は、Ｓ２４０に進む。
【００８７】
Ｓ２３５の判定で、自身のログイン照会機ＩＤが登録照会機ＩＤＴ１ｂと異なると判定された場合（“Ｎｏ”の場合）、又は、Ｓ２３６の判定で、操作者の座席位置の変更があると判定された場合（“Ｎｏ”の場合）に、表示位置決定部１１０ｅは、入力座席位置情報が表す座席位置（以下、「入力座席位置」と称する）が、Ｓ１２０で印鑑ＤＢサーバ２２から送信されかつ取得情報記憶部１２０ｃに格納された登録座席位置情報Ｔ１ｃが表す座席位置（以下、「登録座席位置」と称する）と同じか否かを判定する（Ｓ２４０）。
【００８８】
Ｓ２４０の判定で、入力座席位置が登録座席位置と同じであると判定された場合（“Ｙｅｓ”の場合）に、処理は、Ｓ２４５に進む。一方、Ｓ２４０の判定で、入力座席位置が登録座席位置と異なると判定された場合（“Ｎｏ”の場合）に、処理は、Ｓ２６０に進む。
【００８９】
Ｓ２３６の判定で、操作者の座席位置の変更がないと判定された場合（“Ｙｅｓ”の場合）、又は、Ｓ２４０の判定で、入力座席位置が登録座席位置と同じであると判定された場合（“Ｙｅｓ”の場合）に、表示位置決定部１１０ｅは、Ｓ１２０で印鑑ＤＢサーバ２２から送信されかつ取得情報記憶部１２０ｃに格納された登録印影表示位置情報Ｔ１ｄの中に、照合対象帳票の押印欄の位置に合致する帳票の情報があるか否かを判定する（Ｓ２４５）。なお、ここで、Ｓ２０５で帳票ＩＤが入力されていれば、その帳票ＩＤの帳票が「照合対象帳票」となり、Ｓ２０５で帳票ＩＤが入力されていなければ、Ｓ２０５で入力された口座情報の科目番号に対応する帳票が「照合対象帳票」となる。
【００９０】
Ｓ２４５の判定で、Ｓ１２０で印鑑ＤＢサーバ２２から送信されかつ取得情報記憶部１２０ｃに格納された登録印影表示位置情報Ｔ１ｄの中に、照合対象帳票の押印欄の位置に合致する帳票の情報があると判定された場合（“Ｙｅｓ”の場合）に、表示位置決定部１１０ｅは、登録印影表示位置情報Ｔ１ｄに従って印影画像の表示位置を決定する（Ｓ２５０）。すなわち、表示位置決定部１１０ｅは、印影画像の表示位置を、登録印影表示位置情報Ｔ１ｄの表す位置に決定する。
【００９１】
Ｓ２３０の判定で、Ｓ１２０で印鑑ＤＢサーバ２２から送信された情報の中に、登録照会機ＩＤＴ１ｂがないと判定された場合（“Ｎｏ”の場合）、Ｓ２４０の判定で、入力座席位置が登録座席位置と異なると判定された場合（“Ｎｏ”の場合）、又は、Ｓ２４５の判定で、Ｓ１２０で印鑑ＤＢサーバ２２から送信されかつ取得情報記憶部１２０ｃに格納された登録印影表示位置情報Ｔ１ｄの中に、照合対象帳票の押印欄の位置に合致する帳票の情報がないと判定された場合（“Ｎｏ”の場合）に、表示位置決定部１１０ｅは、印鑑照会機１１の横方向に対するログイン操作者の座席位置がどの方向であるのかを判定する（Ｓ２６０）。なお、「印鑑照会機１１の横方向に対するログイン操作者の座席位置」情報は、図４Ａに示すＳ１３０又はＳＣ１で入力され、入力情報記憶部１２０ｂに格納されている。
【００９２】
Ｓ２６０の判定で、ログイン操作者の座席位置が印鑑照会機１１に対して左側である場合に、表示位置決定部１１０ｅは、横方向の印影画像の表示位置を「左側」に設定する（Ｓ２６１）。
【００９３】
また、Ｓ２６０の判定で、ログイン操作者の座席位置が印鑑照会機１１に対して右側である場合に、表示位置決定部１１０ｅは、横方向の印影画像の表示位置を「右側」に設定する（Ｓ２６２）。
【００９４】
また、Ｓ２６０の判定で、ログイン操作者の座席位置が印鑑照会機１１に対して正面である場合に、表示位置決定部１１０ｅは、横方向の印影画像の表示位置を「正面」に設定する（Ｓ２６３）。
【００９５】
Ｓ２６１、Ｓ２６２、又は、Ｓ２６３の後、表示位置決定部１１０ｅは、照合対象帳票の押印欄の高さがどの位置であるのかを判定する（Ｓ２７０）。なお、ここで、Ｓ２０５で帳票ＩＤが入力されていれば、その帳票ＩＤの帳票が「照合対象帳票」となり、Ｓ２０５で帳票ＩＤが入力されていなければ、Ｓ２０５で入力された口座情報の科目番号に対応する帳票が「照合対象帳票」となる。
【００９６】
Ｓ２７０の判定で、照合対象帳票の押印欄の高さが上部である場合に、表示位置決定部１１０ｅは、高さ方向の印影画像の表示位置を「上部」に設定する（Ｓ２７１）。
【００９７】
また、Ｓ２７０の判定で、照合対象帳票の押印欄の高さが下部である場合に、表示位置決定部１１０ｅは、高さ方向の印影画像の表示位置を「下部」に設定する（Ｓ２７２）。
【００９８】
また、Ｓ２７０の判定で、照合対象帳票の押印欄の高さが中央である場合に、表示位置決定部１１０ｅは、高さ方向の印影画像の表示位置を「中央」に設定する（Ｓ２７３）。
【００９９】
Ｓ２５０、Ｓ２７１、Ｓ２７２、又は、Ｓ２７３の後、表示制御部１１０ｃ（図２参照）が、取得情報記憶部１２０ｃ（図２参照）から登録印影画像情報を読み出し、表示部１３０（図２参照）に対し、登録印影画像情報が表す登録印影画像を、表示位置決定部１１０ｅによって決定された印影画像の表示位置に表示させる（Ｓ２８０）。これにより、印鑑照会機１１は、印影照合作業を終了する（ＳＡ２）。その結果、印鑑照会機１１は、一連のルーチンの処理を終了する。
なお、登録印影画像情報は、Ｓ２２５で印鑑ＤＢサーバ２２から送信された後、情報取得部１１０ｄによって取得情報記憶部１２０ｃに格納されている。
【０１００】
＜変形例＞
図４Ａ及び図４Ｂに示すフローは、例えば、図５Ａ及び図５Ｂに示すフローに変更することができる。図５Ａ及び図５Ｂは、それぞれ、変形例に係る印鑑照会システムの動作を示すフローチャートである。
【０１０１】
変形例では、図５Ａに示すように、図４Ａに示されたＳ１３５の処理（「メニュー画面表示」処理）、Ｓ１４０の判定処理（「何を選択か？」の判定処理）、ＳＢ１の処理（「口座照会作業実行」処理）、及び、ＳＣ１の処理（「座席位置の入力受付」処理）が削除されている。そのため、変形例では、Ｓ１２５の判定で、ログイン照会機ＩＤが登録照会機ＩＤＴ１ｂと同じと判定された場合（“Ｙｅｓ”の場合）、又は、Ｓ１３０の処理（「座席位置の入力受付」処理）の後に、処理は、ＳＡ１に進む。その結果、印鑑照会機１１は、ＳＡ１で、印影照合作業を開始する。
【０１０２】
また、変形例では、図４Ａに示されたＳＣ１の処理（「座席位置の入力受付」処理）が削除されているため、図４Ｂに示されたＳ２３６の判定処理（「座席位置変更なし？」の判定処理）を行う必要がない。したがって、変形例では、図５Ｂに示すように、図４Ｂに示されたＳ２３６の判定処理（「座席位置変更なし？」の判定処理）が削除されている。そのため、変形例では、Ｓ２３５の判定で、自身のログイン照会機ＩＤが登録照会機ＩＤＴ１ｂと同じであると判定された場合（“Ｙｅｓ”の場合）に、処理は、Ｓ２４５に進む。その結果、印鑑照会機１１の表示位置決定部１１０ｅは、Ｓ２４５で、Ｓ１２０で印鑑ＤＢサーバ２２から送信されかつ取得情報記憶部１２０ｃに格納された登録印影表示位置情報Ｔ１ｄの中に、照合対象帳票の押印欄の位置に合致する帳票の情報があるか否かを判定する。
【０１０３】
このような印鑑照会システム１の動作は、以下のような特徴を有している。なお、ここでは、照合の対象となる印影が押印された帳票を「照合対象帳票」とし、ログイン操作者を「使用操作者」とし、ログイン照会機（すなわち、使用操作者（ログイン操作者）が使用している印鑑照会機１１）を「使用照会機」とし、操作者テーブルＴ１を「第１テーブルデータ」とし、帳票テーブルＴ２を「第２テーブルデータ」として説明する。
【０１０４】
（１）印鑑照会システム１は、使用操作者が印鑑照会機１１の操作者として登録された登録操作者（使用照会機１１に該当する照会機ＩＤＴ１ｂ（図３Ａ参照）に対応付けられた操作者ＩＤＴ１ａの操作者）と異なる場合に、印鑑照会機１１の表示位置決定部１１０ｅ（図２参照）が、印鑑照会機１１に対する横方向の使用操作者の座席位置を表す入力座席位置情報（図４Ａに示すＳ１３０で入力された入力座席位置情報、又は、ＳＣ１で入力された入力座席位置情報）に基づいて、印影画像の横方向の表示位置を決定するとともに、照合対象帳票内での押印欄の高さ方向の位置に基づいて、印影画像の高さ方向の表示位置を決定する。すなわち、この場合に、表示位置決定部１１０ｅが、前記した「座席位置及び押印欄の位置に基づく表示位置の決定」を行う。そのため、この印鑑照会システム１は、操作者が本来とは異なる印鑑照会機１１を使用して照合作業を行う場合に、登録印影画像を操作者にとって好適な位置（操作者から見え易い位置）に表示させることができる。
【０１０５】
（２）印鑑照会機１１の表示位置決定部１１０ｅは、印鑑照会機１１に対する横方向の使用操作者の座席位置に合致する位置を表す座席位置情報Ｔ１ｃ（図３Ａ参照）に対応付けられた登録印影表示位置情報Ｔ１ｄ（図３Ａ参照）であって、かつ、照合対象帳票内での押印欄の横方向及び高さ方向の位置に合致する登録印影表示位置情報を、「該当表示位置情報」とし、該当表示位置情報が第１テーブルデータ（操作者テーブルＴ１）に登録されていると見なされる場合に、印影画像の表示位置を該当表示位置情報の表す位置に決定する。なお、本実施形態では、「該当表示位置情報が第１テーブルデータ（操作者テーブルＴ１）に登録されている」ことが、前記した「（使用操作者を登録操作者と見なすための）所定の条件」を意味しているものとして説明する。
【０１０６】
一方、印鑑照会機１１の表示位置決定部１１０ｅは、該当表示位置情報が第１テーブルデータ（操作者テーブルＴ１）に登録されていないと見なされる場合に、印鑑照会機１１に対する横方向の使用操作者の座席位置を表す入力座席位置情報（図４Ａに示すＳ１３０で入力された入力座席位置情報、又は、ＳＣ１で入力された入力座席位置情報）に基づいて、印影画像の横方向の表示位置を決定するとともに、照合対象帳票内での押印欄の高さ方向の位置に基づいて、印影画像の高さ方向の表示位置を決定する。すなわち、表示位置決定部１１０ｅが、前記した「座席位置及び押印欄の位置に基づく表示位置の決定」を行う。
【０１０７】
なお、印鑑照会機１１の表示位置決定部１１０ｅは、使用照会機１１の照会機識別情報（照会機ＩＤ）が第１テーブルデータ（操作者テーブルＴ１）に登録された照会機識別情報（登録照会機ＩＤＴ１ｂ（図３Ａ参照））と同じ場合（図４Ｂに示すＳ２３５の判定で“Ｙｅｓ”の場合）で、かつ、照合対象帳票内での押印欄の横方向及び高さ方向の位置に合致する登録印影表示位置情報Ｔ１ｄ（図３Ａ参照）が第１テーブルデータ（操作者テーブルＴ１）に登録されている場合（図４Ｂに示すＳ２４５の判定で“Ｙｅｓ”の場合）に、該当表示位置情報が第１テーブルデータ（操作者テーブルＴ１）に登録されていると見なす。その結果、印鑑照会機１１は、図４Ｂに示すＳ２５０の処理を行う。
【０１０８】
また、印鑑照会機１１の表示位置決定部１１０ｅは、（１）使用照会機１１の照会機識別情報（照会機ＩＤ）が第１テーブルデータ（操作者テーブルＴ１）に登録された照会機識別情報（登録照会機ＩＤＴ１ｂ（図３Ａ参照））と異なる場合（図４Ｂに示すＳ２３５の判定で“Ｎｏ”の場合）であっても、図４Ａに示すＳ１３０又はＳＣ１で、入力座席位置情報が入力されている場合には、（２）入力座席位置情報が第１テーブルデータ（操作者テーブルＴ１）に登録された登録座席位置情報Ｔ１ｃ（図３Ａ参照）と同じで、かつ、照合対象帳票内での押印欄の横方向及び高さ方向の位置に合致する登録印影表示位置情報Ｔ１ｄ（図３Ａ参照）が第１テーブルデータ（操作者テーブルＴ１）に登録されているとき（図４Ｂに示すＳ２４０の判定が“Ｙｅｓ”で、かつ、図４Ｂに示すＳ２４５の判定が“Ｙｅｓ”のとき）に、該当表示位置情報が第１テーブルデータ（操作者テーブルＴ１）に登録されていると見なす。その結果、印鑑照会機１１は、図４Ｂに示すＳ２５０の処理を行う。
【０１０９】
また、印鑑照会機１１の表示位置決定部１１０ｅは、（１）使用照会機１１の照会機識別情報（照会機ＩＤ）が第１テーブルデータ（操作者テーブルＴ１）に登録された照会機識別情報（登録照会機ＩＤＴ１ｂ（図３Ａ参照））と同じ場合（図４Ｂに示すＳ２３５の判定で“Ｙｅｓ”の場合）で、かつ、座席位置が変更されていない場合（図４Ｂに示すＳ２３６の判定で“Ｙｅｓ”の場合）には、（２）照合対象帳票内での押印欄の横方向及び高さ方向の位置に合致する登録印影表示位置情報Ｔ１ｄ（図３Ａ参照）が第１テーブルデータ（操作者テーブルＴ１）に登録されているとき（図４Ｂに示すＳ２４５の判定が“Ｙｅｓ”のとき）に、該当表示位置情報が第１テーブルデータ（操作者テーブルＴ１）に登録されていると見なす。その結果、印鑑照会機１１は、図４Ｂに示すＳ２５０の処理を行う。
【０１１０】
また、印鑑照会機１１の表示位置決定部１１０ｅは、（１）使用照会機１１の照会機識別情報（照会機ＩＤ）が第１テーブルデータ（操作者テーブルＴ１）に登録された照会機識別情報（登録照会機ＩＤＴ１ｂ（図３Ａ参照））と同じ場合（図４Ｂに示すＳ２３５の判定で“Ｙｅｓ”の場合）で、かつ、座席位置の設定が変更されている場合（図４Ｂに示すＳ２３６の判定で“Ｎｏ”の場合）であっても、使用照会機１１に対する横方向の使用操作者の座席位置を表す入力座席位置情報が入力されている場合には、（２）入力座席位置情報が第１テーブルデータ（操作者テーブルＴ１）に登録された登録座席位置情報Ｔ１ｃ（図３Ａ参照）と同じで、かつ、照合対象帳票内での押印欄の横方向及び高さ方向の位置に合致する登録印影表示位置情報が第１テーブルデータ（操作者テーブルＴ１）に登録されているとき（図４Ｂに示すＳ２４０の判定が“Ｙｅｓ”で、かつ、図４Ｂに示すＳ２４５の判定が“Ｙｅｓ”のとき）に、該当表示位置情報が第１テーブルデータ（操作者テーブルＴ１）に登録されていると見なす。その結果、印鑑照会機１１は、図４Ｂに示すＳ２５０の処理を行う。
【０１１１】
このような印鑑照会システム１は、登録印影画像を操作者にとって好適な位置（操作者から見え易い位置）に表示させることができる。
また、印鑑照会システム１は、印鑑照会機１１の表示位置決定部１１０ｅが、ログイン操作者ＩＤや、座席位置、帳票の押印欄の位置等を基にして、登録印影画像の表示位置を最適な位置に決定することができる。
【０１１２】
以上の通り、本実施形態に係る印鑑照会システム１によれば、操作者が本来とは異なる印鑑照会機１１を使用して照合作業を行う場合に、登録印影画像を操作者にとって好適な位置（操作者から見え易い位置）に表示させることができる。これにより、作業効率が低下するのを抑制することができる。
【０１１３】
本発明は、前記した実施形態に限定されることなく、本発明の要旨を逸脱しない範囲で種々の変更や変形を行うことができる。
【０１１４】
（変形例１）
例えば、印鑑照会機１１の表示位置決定部１１０ｅは、操作者によって、入力部１４０から、印鑑照会機１１に対する横方向の使用操作者の座席位置を表す入力座席位置情報及び照合対象帳票内での押印欄の高さ方向の位置を表す入力押印欄位置情報が入力された場合に、入力座席位置情報の表す使用操作者の座席位置に基づいて、印影画像の横方向の表示位置を決定するとともに、入力押印欄位置情報の表す押印欄の高さ方向の位置に基づいて、印影画像の高さ方向の表示位置を決定する構成にしてもよい。
【０１１５】
（変形例２）
また、例えば、印鑑照会機１１の表示位置決定部１１０ｅは、操作者によって、入力部１４０から、印鑑照会機１１に対する横方向の使用操作者の座席位置を表す入力座席位置情報及び帳票識別情報（帳票ＩＤ）が入力された場合に、情報取得部１１０ｄ（図２参照）が、印鑑ＤＢサーバ２２から、帳票識別情報（帳票ＩＤ）に対応付けられて第２テーブルデータ（帳票テーブルＴ２）に登録された登録押印欄位置情報を取得し、表示位置決定部１１０ｅ（図２参照）が、入力座席位置情報の表す使用操作者の座席位置に基づいて、印影画像の横方向の表示位置を決定するとともに、登録押印欄位置情報の表す押印欄の高さ方向の位置に基づいて、印影画像の高さ方向の表示位置を決定する構成にしてもよい。
【０１１６】
（変形例３）
また、例えば、印鑑照会システム１は、個々の操作者毎に、想定されるパタン分（図３Ａに示す例では、左側、右側、及び、正面の３パタン分）の座席位置情報Ｔ１ｃ（図３Ａ参照）に対応する印影表示位置情報Ｔ１ｄ（図３Ａ参照）を操作者テーブルＴ１（図３Ａ参照）に予め登録しておき、操作者が本来とは異なる印鑑照会機１１で照合作業を行う場合に、印鑑照会機１１が、印鑑ＤＢサーバ２２から、操作者テーブルＴ１に登録された、自身の座席位置のパタンに該当する印影表示位置情報Ｔ１ｄを取得し、印影画像の表示位置をその取得された印影表示位置情報Ｔ１ｄの表す位置に決定するようにしてもよい。このような印鑑照会システム１は、例えば、以下のような構成によって、実現することができる。
【０１１７】
すなわち、データベースサーバ（ここでは、印鑑ＤＢサーバ２２）は、帳票内での押印欄の横方向及び高さ方向の位置に対応する印影画像の表示位置を規定する情報が、登録印影表示位置情報Ｔ１ｄ（図３Ａ参照）として、印鑑照会機１１を操作する各々の操作者に予め割り振られた操作者識別情報（操作者ＩＤＴ１ａ（図３Ａ参照））毎に、想定されるパタン分の、印鑑照会機１１に対する横方向の操作者の座席位置を表す座席位置情報Ｔ１ｃ（図３Ａ参照）とに対応付けられて登録される第１テーブルデータ（ここでは、操作者テーブルＴ１（図３Ａ参照））を格納するものとする。
【０１１８】
そして、各々の印鑑照会機１１は、運用開始前に、印鑑照会機１１に対する横方向の操作者の座席位置が、入力座席位置情報として、入力情報記憶部１２０ｂに予め格納される。印鑑照会機１１の表示位置決定部は、照合作業時に、データベースサーバ（ここでは、印鑑ＤＢサーバ２２）から、第１テーブル（ここでは、操作者テーブルＴ１（図３Ａ参照））に登録された、使用操作者の操作者識別情報（操作者ＩＤＴ１ａ（図３Ａ参照））と、入力情報記憶部１２０ｂに格納された入力座席位置情報に合致するパタンの座席位置情報Ｔ１ｃ（図３Ａ参照）とに対応付けられた登録印影表示位置情報Ｔ１ｄ（図３Ａ参照）を、該当表示位置情報として取得し、印影画像の表示位置を該当表示位置情報の表す位置に決定する。
【符号の説明】
【０１１９】
１    印鑑照会システム
１０    営業店
１１    印鑑照会機
１９，２９    ＬＡＮ
２０    データセンタ
２１    印鑑コントローラサーバ
２２    印鑑ＤＢサーバ
２３    印鑑ＤＢ
２４    エントリＰＣ
１１０    制御部（ＣＰＵ）
１１０ａ    表示制御部
１１０ｂ    入力制御部
１１０ｃ    通信制御部
１１０ｄ    情報取得部
１１０ｅ    表示位置決定部
１１０ｆ    処理実行部
１２０    記憶部（ＲＯＭ，ＲＡＭ，ＨＤＤ等）
１２０ａ    プログラム記憶部
１２０ｂ    入力情報記憶部
１２０ｃ    取得情報記憶部
１３０    表示部
１４０    入力部
１５０    通信部
【図１】
0005820656.tif 000002
【図２】
0005820656.tif 000003
【図３Ａ】
0005820656.tif 000004
【図３Ｂ】
0005820656.tif 000005
【図３Ｃ】
0005820656.tif 000006
【図３Ｄ】
0005820656.tif 000007
【図３Ｅ】
0005820656.tif 000008
【図４Ａ】
0005820656.tif 000009
【図４Ｂ】
0005820656.tif 000010
【図５Ａ】
0005820656.tif 000011
【図５Ｂ】
0005820656.tif 000012